(57)【要約】【課題】高解像度の表示装置が備える表示画面上に表示される画像が見難くなることがなく、かつ消費電力の低減を図ることができる機器、その機器に搭載される画像処理方法を提供する。  【解決手段】撮影操作を受けて第１の解像度の画像データを記録する場合に、画像データが静止画を表わす画像データであると判定された場合には第１の解像度の画像に基づく画像を表示画面上に表示し（ステップＳ４１７）、画像データが動画又は連写を表わす連続画を表わす画像データであると判定された場合には、上記第１の解像度よりも低い第２の解像度の画像データに変換して第２の画像データに基づく画像を表示画面上に表示する（Ｓ４０８）。【選択図】図４
2009089036.tif 000002
【特許請求の範囲】
【請求項１】
画像データの記録と画像データに基づく画像表示とを行なう機器において、
第１の解像度の画像データを入力するデータ入力部と、
画像表示用の画像データを出力する表示データ出力部と、
画像記録用の画像データを出力する記録データ出力部と、
前記データ入力部から入力されてきた画像データが静止画を表わす画像データであるか、連続画を表わす画像データであるかを判定する判定部と、
前記データ入力部から入力されてきた前記第１の解像度の画像データを前記記録データ出力部に伝えるとともに、前記判定部により、前記データ入力部から入力されてきた画像データが静止画を表わす画像データであると判定された場合には前記表示データ出力部にも該第１の解像度の画像データを伝え、前記判定部により、前記データ入力部から入力されてきた画像データが連続画を表わす画像データであると判定された場合には該データ入力部から入力されてきた画像データを該第１の解像度よりも低い第２の解像度の画像データに変換して前記表示データ出力部に伝える画像処理部とを備えたことを特徴とする機器。
【請求項２】
電池を内蔵し、該電池から供給された電力により、画像データの記録と画像データに基づく画像の表示とを行なう機器において、
第１の解像度の画像データを入力するデータ入力部と、
画像表示用の画像データを出力する表示データ出力部と、
画像記録用の画像データを出力する記録データ出力部と、
前記電池の残量が所定残量以上であるか否かを判定する判定部と、
前記データ入力部から入力されてきた前記第１の解像度の画像データを前記記録データ出力部に伝えるとともに、前記判定部により、前記電池の残量が所定残量以上であると判定された場合には前記表示データ出力部にも該第１の解像度の画像データを伝え、前記電池の残量が所定残量未満であると判定された場合には該データ入力部から入力されてきた画像データを該第１の解像度よりも低い第２の解像度の画像データに変換して前記表示データ出力部に伝える画像処理部とを備えたことを特徴とする機器。
【請求項３】
電池を内蔵するとともにＡＣアダプタが接続可能であり、電池もしくはＡＣアダプタから供給された電力により画像データの記録と画像データに基づく画像表示とを行なう機器において、
第１の解像度の画像データを入力するデータ入力部と、
画像表示用の画像データを出力する表示データ出力部と、
画像記録用の画像データを出力する記録データ出力部と、
ＡＣアダプタが接続されているか否かを判定する判定部と、
前記データ入力部から入力されてきた前記第１の解像度の画像データを前記記録データ出力部に伝えるとともに、前記判定部により、ＡＣアダプタが接続されていると判定された場合には前記表示データ出力部にも該第１の解像度の画像データを伝え、ＡＣアダプタが接続されていないと判定された場合には、該データ入力部から入力されてきた画像データを該第１の解像度よりも低い第２の解像度の画像データに変換して前記表示データ出力部に伝える画像処理部とを備えたことを特徴とする機器。
【請求項４】
画像データの記録と画像データに基づく画像表示とを行なう機器において、
第１の解像度の画像データを入力するデータ入力部と、
画像表示用の画像データを出力する表示データ出力部と、
画像記録用の画像データを出力する記録データ出力部と、
温度センサと、
前記温度センサにより測定された温度が所定温度以上であるか否かを判定する判定部と、
前記データ入力部から入力されてきた前記第１の解像度の画像データを前記記録データ出力部に伝えるとともに、前記判定部により、前記温度センサにより測定された温度が所定温度未満であると判定された場合には前記第１の解像度のデータを前記表示データ出力部にも伝え、前記温度センサにより測定された温度が所定温度以上の温度であると判定された場合には該データ入力部から入力されてきた画像データを該第１の解像度よりも低い第２の解像度の画像データに変換して前記表示データ出力部に伝える画像処理部とを備えたことを特徴とする機器。
【請求項５】
画像データに基づく画像を外部の表示装置に表示させる機器において、
第１の解像度の画像データを入力するデータ入力部と、
画像データを出力するデータ出力部と、
出力先の表示装置での受信が可能な解像度を認識する認識部と、
前記第１の解像度が、前記認識部で認識された、前記表示装置での受信可能な解像度と一致していたときは、前記データ入力部から入力された画像データをそのまま画像データ出力部に伝え、
前記第１の解像度が、前記認識部で認識された、前記表示装置での受信可能な解像度とは一致しない解像度であったときは前記データ入力から入力された画像データを前記表示装置が受信可能な解像度のうちの前記第１の解像度に最も近い第２の解像度の画像データに変換して前記データ出力部に伝える画像処理部とを備えたことを特徴とする機器。
【請求項６】
画像データに基づく画像を表示する機器において、
第１の解像度の画像データを入力するデータ入力部と、
表示用の画像データを出力するデータ出力部と、
前記データ入力部から入力されてきた画像データから、該画像データにより表わされる画像のうちの一部領域のみの画像を表わす画像データを切り出すか否かを指示する指示部と、
前記データ入力部から入力されてきた画像データを、前記指示部により一部領域のみの画像を表わす画像データの切出しが指示されていない場合には、前記第１の解像度よりも低い第２の解像度に変換して前記データ出力部に伝え、前記指示部により一部領域のみの画像を表わす画像データの切出しが指示されている場合には、該一部領域の画像を表わす画像データを切り出すとともに切り出した画像データを前記第１の解像度のまま、もしくは前記第２の解像度よりも高い第３の解像度の画像に変換して前記データ出力部に伝える画像処理部とを備えたことを特徴とする機器。
【請求項７】
入力されてきた画像データが静止画を表わす画像データであるか、連続画を表わす画像データであるかを判定するステップと、
入力されてきた画像データを記録用に出力するステップと、
入力されてきた画像データが静止画を表わす画像データであると判定された場合には画像データを表示用に出力するとともに、入力されてきた画像データが連続画を表わす画像データであると判定された場合には前記画像データを、該画像データの解像度である前記第１の解像度よりも低い第２の解像度の画像データに変換して表示用に出力するステップとことを特徴とする画像処理方法。
【請求項８】
電池の残量が所定残量以上であるか否かを判定するステップと、
入力されてきた第１の解像度の画像データを記録用に出力するステップと、
電池の残量が所定残量以上であると判定された場合には、該画像データを表示用に出力するとともに、電池の残量が所定残量未満であると判定された場合には、該画像データを該画像データの解像度である第１の解像度よりも低い第２の解像度の画像データに変換して表示用に出力するステップとを有することを特徴とする画像処理方法。
【請求項９】
ＡＣアダプタが接続されているか否かを判定するステップと、
入力されてきた画像データを記録用に出力するステップと、
ＡＣアダプタが接続されていると判定された場合には該画像データを表示用に出力するとともに、ＡＣアダプタが接続されていないと判定された場合には、該データ入力部から入力されてきた画像データを該画像データの解像度である該第１の解像度よりも低い第２の解像度の画像データに変換して表示用に出力するステップとを有することを特徴とする画像処理方法。
【請求項１０】
温度を測定して測定された温度が所定温度以上であるか否かを判定するステップと、
入力されてきた画像データを記録用に出力するステップと、
測定された温度が所定温度未満であると判定された場合には該画像データを表示用に出力するとともに、測定された温度が所定温度以上の温度であると判定された場合には該画像データを前記画像データの解像度である第１の解像度よりも低い第２の解像度の画像データに変換して表示用に出力するステップとを備えたことを特徴とする画像処理方法。
【請求項１１】
出力先の表示装置での受信可能な解像度を認識するステップと、
入力されてきた画像データの解像度が、前記表示装置での受信可能な解像度と一致していたときは、入力された画像データをそのまま前記表示装置に向けて出力するステップと、
入力されてきた画像データの解像度が、前記表示装置での受信可能な解像度とは一致しない解像度であったときは、入力されてきた画像データを、前記表示装置が受信可能な解像度のうちの、該画像データの解像度である第１の解像度に最も近い第２の解像度の画像データに変換して前記表示装置に向けて出力するステップとを有することを特徴とする画像処理方法。
【請求項１２】
入力されてきた画像データから、該画像データにより表わされる画像のうちの一部領域のみの画像を表わす画像データを切り出すか否かの指示を受け、
一部領域のみの画像を表わす画像データの切出しが指示されていない場合には、入力されてきた画像データを、該画像データの解像度である前記第１の解像度よりも低い第２の解像度に変換して出力し、一部領域のみの画像を表わす画像データの切出しが指示されている場合には、該一部領域の画像を表わす画像データを切り出すとともに該画像データを前記第１の解像度のまま、もしくは前記第２の解像度よりも高い第３の解像度の画像に変換して出力するステップを有することを特徴とする画像処理方法。
【発明の詳細な説明】
【技術分野】
【０００１】
本発明は、画像データを取り扱う機器、およびその機器内に搭載される画像処理方法に関する。
【背景技術】
【０００２】
従来より、画像データを取り扱う機器、例えばデジタルカメラやカメラ付き携帯電話機等が存在する。こういったデジタルカメラやカメラ付き携帯電話機等の機器においては、最近、高画素数の撮像素子を搭載して解像度の高い静止画を記録媒体に記録するとともに、表示装置に高解像度のものを搭載して撮影時については上記記録媒体に記録される画像をそのまま表示画面上に表示するものが考えられている。
【０００３】
また、上記デジタルカメラや上記カメラ付き携帯電話機等の機器にあっては、外部の表示装置に接続してその外部の表示装置の表示画面上に画像を再生表示することができるようにしているものが多く、その外部の表示装置には高解像度のものが多い。
【０００４】
ここで上記の高解像度の表示装置は、高解像度での表示を行なうことができる能力を持つものであって、供給されてくるデータ量に応じて高解像度での表示、中解像度での表示、低解像度での表示を自在に行なうことができるものもある。
【０００５】
ここで、特許文献１には、撮影時以外のときには、表示装置に供給される画像データの量を減らして表示処理に要する消費電力の低減を図ることでバッテリの消費電力を低減する技術が提案されている。しかし、特許文献１の技術を採用すると、動画撮影時または連写撮影時にデータ量の多い画像データが表示装置に供給され表示装置に画像データを出力するデータ出力部の負荷が増大してバッテリの消費電力が増大してしまうという問題を抱えている。また、上記特許文献１の機器が電子ズーム機能を備えていると、表示用の画像データの量が減っているために電子ズームされた後の拡大画像が解像度が低すぎて見難くなる恐れがある。
【０００６】
また特許文献２には、デジタルカメラの負荷が過負荷であると判定されたときに表示装置のフレームレートを軽減する技術が提案されている。しかしこの特許文献２の技術では、フレームレートを低減することによって消費電力の低減を図っているために１秒あたりのフレーム数が少なくなって表示画面上の動画像が見難くなるという問題を抱えている。
【０００７】
また特許文献３には、電子ファインダの表示モードを撮影シーンに応じて選択的に高解像度と低解像度とのうちのいずれかに切り替えることにより消費電力を低減する技術が提案されている。しかし特許文献３の技術では、電子ファインダを低解像度にしてフレームレートの更新レートを高める処理を行なっているために、電子ファインダを高解像度にしたときと低解像度にしたときのデータ量がほぼ同じになり、顕著な消費電力の低減効果が得られない。
【特許文献１】特開２００１−２５７９１２号公報
【特許文献２】特開２００３−２４４５２９号公報
【特許文献３】特許２００６−０２５００８号公報
【発明の開示】
【発明が解決しようとする課題】
【０００８】
本発明は、上記事情に鑑み、高解像度の表示装置が備える表示画面上に表示される画像が見難くなることが抑えられ、かつ消費電力の低減を図ることができる機器、その機器に搭載される画像処理方法を提供することを目的とする。
【課題を解決するための手段】
【０００９】
上記目的を達成するための本発明の第１の機器は、画像データの記録と画像データに基づく画像表示とを行なう機器において、
第１の解像度の画像データを入力するデータ入力部と、
画像表示用の画像データを出力する表示データ出力部と、
画像記録用の画像データを出力する記録データ出力部と、
上記データ入力部から入力されてきた画像データが静止画を表わす画像データであるか、連続画を表わす画像データであるかを判定する判定部と、
上記データ入力部から入力されてきた上記第１の解像度の画像データを上記記録データ出力部に伝えるとともに、上記判定部により、上記データ入力部から入力されてきた画像データが静止画を表わす画像データであると判定された場合には上記表示データ出力部にもその第１の解像度の画像データを伝え、上記判定部により、上記データ入力から入力されてきた画像データが連続画を表わす画像データであると判定された場合にはそのデータ入力部から入力されてきた画像データをその第１の解像度よりも低い第２の解像度の画像データに変換して上記表示データ出力部に伝える画像処理部とを備えたことを特徴とする。
【００１０】
上記本発明の第１の機器によれば、上記画像処理部に上記データ入力部から入力されてきた第１の解像度の画像データが、上記判定部により連続画を表わす画像データであると判定された場合には、上記表示データ出力部に上記第１の解像度よりも低い第２の解像度の画像データが伝えられる。
【００１１】
つまり、撮影により得られた画像データが連続画、すなわち連写画像を表わす画像データであった場合、又は動画像を表わす画像データであった場合には、上記記録データ出力部から第１の解像度の画像データが出力されて第１の解像度の画像データが記録媒体に記録されるとともに、上記表示データ出力部から第２の解像度の画像データが出力されその第２の解像度データに基づく画像が表示画面上に表示される。
【００１２】
前述した様に高解像度の表示装置では、第２の解像度の画像データを受けたときにはその第２の解像度のデータに応じた表示が行なわれるので、上記表示データ出力部から上記表示装置に供給されるデータ量が低減された分、表示データ出力部の負荷が軽減されてバッテリの消費電力が軽減される。また、第１の解像度よりも低い第２の解像度であってもフレームレートが変化する訳ではないので、表示装置が備える表示画面上に表示される画像が見難くなることが抑えられる。
【００１３】
また、上記課題を達成する本発明の第２の機器は、電池を内蔵し、その電池から供給された電力により、画像データの記録と画像データに基づく画像の表示とを行なう機器において、
第１の解像度の画像データを入力するデータ入力部と、
画像表示用の画像データを出力する表示データ出力部と、
画像記録用の画像データを出力する記録データ出力部と、
上記電池の残量が所定残量以上であるか否かを判定する判定部と、
上記データ入力部から入力されてきた上記第１の解像度の画像データを上記記録データ出力部に伝えるとともに、上記判定部により、上記電池の残量が所定残量以上であると判定された場合には上記表示データ出力部にもその第１の解像度の画像データを伝え、上記電池の残量が所定残量未満であると判定された場合にはそのデータ入力部から入力されてきた画像データをその第１の解像度よりも低い第２の解像度の画像データに変換して上記表示データ出力部に伝える画像処理部とを備えたことを特徴とする。
【００１４】
上記本発明の第２の機器によれば、上記判定部により上記電池の残量が所定残量以上であると判定された場合には、上記画像処理部によって上記表示データ出力部に上記第１の解像度の画像データが伝えられ、上記電池の残量が所定残量未満であると判定された場合には、上記画像処理部によって上記表示データ出力部に上記第１の解像度よりも低い第２の解像度の画像データが伝えられる。
【００１５】
つまり、電池の残量が所定量以上である場合には電力が充分にあるとして上記表示データ出力部から第１の解像度の画像データが出力されて表示画面上にその第１の解像度の画像データに基づく画像が表示され、電池の残量が所定量未満である場合には電池の電力消費を抑えるために上記表示データ出力部から上記第１の解像度よりも解像度が低い第２の解像度の画像データが出力されて表示画面上にその第２の解像度の画像データに基づく画像が表示される。
【００１６】
前述した様に高解像度の表示装置では、第２の解像度の画像データを受けたときにはその第２の解像度のデータに応じた表示が行なわれるので、上記データ出力部から表示装置に供給されるデータ量が低減された分、上記表示データ出力部の負荷が軽減されて消費電力が軽減され、電池の長寿命化が図られることとなる。また、第１の解像度よりも低い第２の解像度であってもフレームレートが変化する訳ではないので、表示装置が備える表示画面上に表示される画像が見難くなることが抑えられる。
【００１７】
上記目的を達成する本発明の第３の機器は、電池を内蔵するとともにＡＣアダプタが接続可能であり、電池もしくはＡＣアダプタから供給された電力により画像データの記録と画像データに基づく画像表示とを行なう機器において、
第１の解像度の画像データを入力するデータ入力部と、
画像表示用の画像データを出力する表示データ出力部と、
画像記録用の画像データを出力する記録データ出力部と、
ＡＣアダプタが接続されているか否かを判定する判定部と、
上記データ入力部から入力されてきた上記第１の解像度の画像データを上記記録データ出力部に伝えるとともに、上記判定部により、上記ＡＣアダプタが接続されていないと判定された場合には上記表示データ出力部にもその第１の解像度の画像データを伝え、ＡＣアダプタが接続されていないと判定された場合には、そのデータ入力部から入力されてきた画像データをその第１の解像度よりも低い第２の解像度の画像データに変換して上記表示データ出力部に伝える画像処理部とを備えたことを特徴とする。
【００１８】
上記本発明の第３の機器によれば、上記判定部によって上記ＡＣアダプタが接続されていないと判定された場合には、上記データ入力部に入力されてきた第１の解像度の画像データが、上記画像処理部によって、その第１の解像度よりも低い第２の解像度の画像データに変換されて表示用データ出力部に伝えられる。
【００１９】
つまり、ＡＣアダプタが接続されていない場合には、電池からの電力供給になるので、上記記録データ出力部から出力される上記第１の解像度の画像データが記録媒体に記録されるとともに、上記表示データ出力部から出力される、解像度が第１の解像度よりも低い第２の解像度の画像データに基づく画像が表示装置が備える表示画面上に表示される。
【００２０】
前述した様に高解像度の表示装置では、第２の解像度の画像データを受けたときにはその第２の解像度のデータに応じた表示が行なわれるので、上記画像処理部が表示データ出力部に伝える画像データのデータ量と、その表示データ出力部から表示装置に供給される画像データのデータ量が低減された分、その表示データ出力部の負荷が軽減されて消費電力が軽減され、電池の長寿命化が図られることとなる。また、第１の解像度よりも低い第２の解像度であってもフレームレートが変化する訳ではないので、表示装置が備える表示画面上に表示される画像が見難くなることが抑えられる。
【００２１】
また、上記目的を達成する本発明の第４の機器は、
画像データの記録と画像データに基づく画像表示とを行なう機器において、
第１の解像度の画像データを入力するデータ入力部と、
画像表示用の画像データを出力する表示データ出力部と、
画像記録用の画像データを出力する記録データ出力部と、
温度センサと、
上記温度センサにより測定された温度が所定温度以上であるか否かを判定する判定部と、
上記データ入力部から入力されてきた上記第１の解像度の画像データを上記記録データ出力部に伝えるとともに、上記判定部により、上記温度センサにより測定された温度が所定温度未満であると判定された場合には上記第１の解像度のデータを上記表示データ出力部にも伝え、上記温度センサにより測定された温度が所定温度以上の温度であると判定された場合にはそのデータ入力部から入力されてきた画像データをその第１の解像度よりも低い第２の解像度の画像データに変換して上記表示データ出力部に伝える画像処理部とを備えたことを特徴とする。
【００２２】
上記本発明の第４の機器によれば、上記判定部によって上記温度センサにより測定された温度が所定温度以上の温度であると判定された場合には、上記データ入力部に入力されてきた第１の解像度の画像データが、上記画像処理部によって解像度がその第１の解像度よりも低い第２の解像度の画像データに変換されて表示用データ出力部に伝えられる。
【００２３】
つまり、温度が所定温度以上であって電池の負荷が重い場合には、記録データ出力部から出力される上記第１の解像度の画像データが記録媒体に記録されるとともに、上記表示データ出力部から出力される、解像度が上記第１の解像度よりも低い第２の解像度の画像データに基づく画像が表示装置が備える表示画面上に表示される。
【００２４】
前述した様に高解像度の表示装置では、第２の解像度の画像データを受けたときにはその第２の解像度のデータに応じた表示が行なわれるので、上記表示データ出力部から表示装置に供給されるデータ量が低減された分、データ出力部の負荷が軽減されて消費電力が軽減され、電池の長寿命化が図られることとなる。また、第１の解像度よりも低い第２の解像度であってもフレームレートが変化する訳ではないので、表示装置が備える表示画面上に表示される画像が見難くなることが抑えられる。
【００２５】
上記目的を達成する本発明の第５の機器は、
画像データに基づく画像を外部の表示装置に表示させる機器において、
第１の解像度の画像データを入力するデータ入力部と、
画像データを出力するデータ出力部と、
出力先の表示装置での受信が可能な解像度を認識する認識部と、
上記第１の解像度が、上記認識部で認識された、上記表示装置での受信可能な解像度と一致していたときは、上記データ入力部から入力された画像データをそのまま画像データ出力部に伝え、
上記第１の解像度が、上記認識部で認識された、上記表示装置での受信が可能な解像度とは一致しない解像度であったときは上記データ入力から入力された画像データを上記表示装置が受信可能な解像度のうちの上記第１の解像度に最も近い第２の解像度の画像データに変換して上記データ出力部に伝える画像処理部とを備えたことを特徴とする。
【００２６】
上記本発明の第５の機器によれば、上記認識部によって外部の表示装置での受信可能な解像度が、上記第１の解像度と一致していないと認識されたときには、上記データ入力部からは上記画像処理部に入力されてきた第１の解像度の画像データが、第１の解像度よりも低い第２の解像度の画像データに変換されて出力される。
【００２７】
つまり、上記認識部によって外部の表示装置での受信可能な解像度が、上記第１の解像度と一致していないと認識されたときには、上記外部の表示装置が受信可能な解像度のうちの上記第１の解像度に近い第２の解像度の画像データに変換されて上記データ出力部から出力され、その第２の解像度の画像データに基づく画像が外部の表示装置が備える表示画面上に表示される。その結果、上記データ出力部から外部の表示装置に供給されるデータ量が低減された分、上記データ出力部の負荷が軽減されて消費電力が軽減され、電池の長寿命化が図られることとなる。また、外部の表示装置が受信可能な解像度に変換されてフレームレートが変換される訳ではないので、表示装置が備える表示画面上に表示される画像が見難くなることが抑えられる。
【００２８】
上記目的を達成する本発明の第６の機器は、
画像データに基づく画像を表示する機器において、
第１の解像度の画像データを入力するデータ入力部と、
表示用の画像データを出力するデータ出力部と、
上記データ入力部から入力されてきた画像データから、その画像データにより表わされる画像のうちの一部領域のみの画像を表わす画像データを切り出すか否かを指示する指示部と、
上記データ入力部から入力されてきた画像データを、上記指示部により一部領域のみの画像を表わす画像データの切出しが指示されていない場合には、上記第１の解像度よりも低い第２の解像度に変換して上記データ出力部に伝え、上記指示部により一部領域のみの画像を表わす画像データの切出しが指示されている場合には、その一部領域の画像を表わす画像データを切り出すとともに切り出したその画像データを上記第１の解像度のまま、もしくは上記第２の解像度よりも高い第３の解像度の画像に変換して上記データ出力部に伝える画像処理部とを備えたことを特徴とする。
【００２９】
上記本発明の第６の機器によれば、上記指示部により上記画像データにより表わされる画像のうちの一部領域のみの画像を表わす画像データの切出しが指示されていない場合には、上記第１の解像度よりも低い第２の解像度に変換されて表示画面上に画像が表示され、上記指示部により上記画像データに表わされる画像のうちの一部領域のみの画像を表わす画像データの切出しが指示されている場合は、上記一部領域の画像を表わす画像データが切り出され切り出された画像データが第１の解像度のまま、もしくは上記第２の解像度よりも高い第３の解像度に変換され上記データ出力部に出力されて上記表示画面上に上記第２の解像度よりも高い解像度で画像が表示される。
【００３０】
つまり、上記指示部により上記画像データにより表わされる画像のうちの一部領域のみの画像を表わす画像データの切出しが指示され電子ズームされているときには、上記第１の解像度のまま、もしくは上記第２の解像度よりも高い第３の解像度に変換され上記データ出力部に出力されて上記表示画面上に上記第２の解像度よりも高い解像度の画像が表示される。このため、電子ズームされた拡大画像が高解像度で表示される。また電子ズームされているときには、上記画像のうちの一部領域のみの画像データになって画像データ量が減るので解像度を高くしても消費電力の低減を図ることができる。
【００３１】
上記目的を達成する本発明の第１の画像処理方法は、
入力されてきた画像データが静止画を表わす画像データであるか、連続画を表わす画像データであるかを判定するステップと、
入力されてきた画像データを記録用に出力するステップと、
入力されてきた画像データが静止画を表わす画像データであると判定された場合にはその画像データを表示用に出力するステップと、
入力されてきた画像データが連続画を表わす画像データであると判定された場合にはその画像データを、その画像データの解像度である第１の解像度よりも低い第２の解像度の画像データに変換して表示用に出力するステップとを有することを特徴とする。
【００３２】
また上記目的を達成する本発明の第２の画像処理方法は、
電池の残量が所定残量以上であるか否かを判定するステップと、
入力されてきた第１の解像度の画像データを記録用に出力するステップと、
電池の残量が所定残量以上であると判定された場合には、その画像データを表示用に出力するとともに、電池の残量が所定残量未満であると判定された場合には、その画像データを、その画像データの解像度である第１の解像度よりも低い第２の解像度の画像データに変換して表示用に出力するステップとを有することを特徴とする。
【００３３】
また、上記目的を達成する本発明の第３の画像処理方法は、
ＡＣアダプタが接続されているか否かを判定するステップと、
入力されてきた画像データを記録用に出力するステップと、
ＡＣアダプタが接続されていると判定された場合にはその画像データを表示用に出力し、ＡＣアダプタが接続されていないと判定された場合には、その画像データを、その画像データの解像度である第１の解像度よりも低い第２の解像度の画像データに変換して表示用に出力するステップとを有することを特徴とする。
【００３４】
また、上記目的を達成する本発明の第４の画像処理方法は、
温度を測定して測定された温度が所定温度以上であるか否かを判定するステップと、
入力されてきた画像データを記録用に出力するステップと、
測定された温度が所定温度未満であると判定された場合にはその画像データを表示用に出力するとともに、測定された温度が所定温度以上の温度であると判定された場合にはその画像データを、その画像データの解像度である第１の解像度よりも低い第２の解像度の画像データに変換して表示用に出力するステップとを有することを特徴とする。
【００３５】
また、上記目的を達成する本発明の第５の画像処理方法は、
出力先の表示装置での受信可能な解像度を認識するステップと、
入力されてきた画像データの解像度が、前記表示装置での受信可能な解像度と一致していたときは、入力された画像データをそのまま前記表示装置に向けて出力するステップと、
入力されてきた画像データの解像度が、前記表示装置での受信可能な解像度とは一致しない解像度であったときは、入力されてきた画像データを、上記表示装置が受信可能な解像度のうちの、その画像データの解像度である第１の解像度に最も近い第２の解像度の画像データに変換して前記表示装置に向けて出力するステップとを有することを特徴とする。
【００３６】
さらに、入力されてきた画像データから、該画像データにより表わされる画像のうちの一部領域のみの画像を表わす画像データを切り出すか否かの指示を受け、
一部領域のみの画像を表わす画像データの切出しが指示されていない場合には、入力されてきた画像データを、その画像データの解像度である第１の解像度よりも低い第２の解像度に変換して出力し、一部領域のみの画像を表わす画像データの切出しが指示されている場合には、その一部領域の画像を表わす画像データを切り出すとともにその画像データを上記第１の解像度のまま、もしくは上記第２の解像度よりも高い第３の解像度の画像に変換して出力するステップを有することを特徴とする。
【発明の効果】
【００３７】
以上説明した様に、高解像度の表示装置が備える表示画面上に表示される画像が見難くなることが抑えられ、かつ消費電力の低減を図ることができる機器、その機器に搭載される画像処理方法が実現する。
【発明を実施するための最良の形態】
【００３８】
以下、図面を参照して本発明の実施の形態を説明する。
【００３９】
図１は、本発明の撮影装置の第１実施形態であるデジタルカメラを斜め上前方から見た外観斜視図である。
【００４０】
図１に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００４１】
また、このデジタルカメラ１００の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを交互に切り換えることができるようになっている。なお、本実施形態のレリーズボタン１１５は、半押しと全押しの２つの操作態様を持つものである。
【００４２】
図２は、図１に示すデジタルカメラの背面を示す外観図である。
【００４３】
図２に示すデジタルカメラ１００の背面には、ＬＣＤパネル１１７Ａ、ファインダ１２４、さらにＭＥＮＵ／ＯＫボタン１１８、ＤＩＳＰ／ＢＡＣＫボタン１１９、フォトモードボタン１２０、再生ボタン１２１、十字ボタン１２２、ズームボタン１２３などが備えられている。
【００４４】
ＬＣＤパネル１１７Ａは、撮影レンズにより被写体光を捉えて生成された画像データからなる画像、および種々の設定時における情報を表示するものである。この例では、このＬＣＤパネル１１７Ａを有するＬＣＤに高解像度のものが用いられている。
【００４５】
ＭＥＮＵ／ＯＫボタン１１８は、撮影時や再生時における各種のメニューをＬＣＤパネル１１７Ａに表示させたり、表示されたメニューの中から所望のメニューを選択し決定するためのボタンである。
【００４６】
ＤＩＳＰ／ＢＡＣＫボタン１１９は、ＬＣＤパネル１１７Ａ上に表示された画面の状態を切り換えたり、ＭＥＮＵ／ＯＫボタン１１８等による操作を１つ前の状態に戻したり操作を取り消したりするためのボタンである。
【００４７】
フォトモードボタン１２０は、ピクセル数，感度，色味，プリント枚数等を設定するためのボタンである。
【００４８】
再生ボタン１２１は、後述する記録媒体１０５９に記録された撮影画像を、ＬＣＤ１１７Ａに再生表示するためのボタンである。
【００４９】
十字ボタン１２２は、様々なモードでその役割が変化し、例えば静止画モードではマクロボタンやフラッシュボタンであったり、再生モードではＬＣＤパネル１１７Ａ上に表示したサムネイルの選択ボタンであったりする。マクロボタンは、マクロ撮影を行なうか否かを切り換えるためのボタンであり、一度押下するとマクロ撮影モードとなり、再度押下するとマクロ撮影モードが解除される。フラッシュボタンは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのボタンである。
【００５０】
ズームボタン１２３は、右方に向けて押下することにより望遠側（テレ側）にズームインするとともに左方に向けて押下することにより広角側（ワイド側）にズームアウトするためのボタンである。
【００５１】
次に、図１、図２に示したデジタルカメラ１００の回路構成について説明する。
【００５２】
図３は、図１、図２に示したデジタルカメラ１００の回路構成を示すブロック図である。このデジタルカメラ１００は、バッテリＢＴからの電力供給を受けて動作する。
【００５３】
このデジタルカメラ１００の動作は統括的にＣＰＵ１３０によって制御されている。このＣＰＵ１３０にはレリーズボタンや背面側の各種スイッチのうちの少なくとも一つが操作されたときに様々な操作信号が供給されてくるので、ＣＰＵ１３０は供給されてきた操作信号に応じた処理をＥＥＰＲＯＭ１３０Ａ内のプログラムにしたがって適宜実行する。なお、図３には、図２に示すＭＥＮＵ／ＯＫボタン１１８、ＤＩＳＰ／ＢＡＣＫボタン１１９、フォトモードボタン１２０、再生ボタン１２１、十字ボタン１２２、ズームボタン１２３、レリーズボタン１１４等を包含してそれらを操作パネルＯＰと記載してある。
【００５４】
また、図３の中にはアドレスバス１３０Ｂとデータバス１３０Ｃとの２つのバスが示されている。その２つのバスのうちのアドレスバス１３０Ｂを用いてＣＰＵ１３０からＥＥＰＲＯＭ１３０ＡやＳＤＲＡＭ１３２といったメモリへのアクセスが行なわれたり、各回路１３３〜１３５，１３９〜１４２へのアクセスが行なわれたりする。またその２つ１３０Ｂ，１３０Ｃのバスのうちのデータバス１３０Ｃを経由してＣＰＵ１３０からの指示内容が各回路１３１，１３３〜１３５，１３９〜１４２に通知されたり、逆に各回路１３１，１３３〜１３５,１３９〜１４３から各回路内のプロセスの進行状況などがＣＰＵ１３０に通知されたりする。
【００５５】
さらに、ＡＤＣ１３８とバス側との処理タイミングを合わせるためにメモリ制御回路１３１が配備されていて、ＣＰＵ１３０からの指示に基づいてこのメモリ制御回路１３１によってＡＤＣ１３８から出力されたデジタルの画像データがデータバス１３０Ｃ上に導かれる構成になっている。本実施形態では、ＣＰＵ１３０とメモリ制御回路１３１によって本発明にいうデータ入力部の一例が構成される。
【００５６】
ここで、ＣＰＵ１３０によって統括的に制御されるデジタルカメラ１００の構成および動作を図３を参照して説明する。
【００５７】
図３の左上に示されている撮影光学系１１１０の中には撮影レンズ１１１１や絞り１１１２などが配備されている。なお図３には撮影光学系１１１０内には他にメカニカルシャッタ等の光学部品が配備されていることも示されている。
【００５８】
撮影レンズ１１１１の中にはズームレンズやフォーカスレンズがあり、これらのレンズはレンズ駆動部１３０１によって駆動されて光軸方向に移動し、そのレンズ駆動部１３０１の動作はＣＰＵ１３０によって制御される。また絞り１１１２は、絞り駆動部１３０２によって駆動されこの絞り駆動部１３０２の動作もＣＰＵ１３０によって制御される。さらに撮像素子１３６は撮像素子駆動部１３０３によって駆動されその撮像素子駆動部１３０３はの動作もＣＰＵ１３０によって制御される。この撮像素子駆動部１３０３による駆動に応じて撮像素子１３６で画像データが生成され後段のアナログ信号処理回路１３７へと出力される。
【００５９】
アナログ信号処理回路１３７では、撮像素子１３６から出力された画像データのノイズ低減処理等が行なわれノイズ低減処理が行なわれた画像データが後段のＡＤＣ（Ａｎａｌｏｇｕｅ  Ｄｉｇｉｔａｌ  Ｃｏｎｖｅｒｔｅｒ）１３８へと供給される。そのＡＤＣ１３８ではアナログの画像データがデジタルの画像データに変換される。
【００６０】
このＡＤＣ１３８でアナログの画像データがデジタルの画像データに変換された後、ＣＰＵ１３０の制御の下にメモリ制御回路１３１によって１フレーム分の画像データが次々とデータバス１３０Ｃ上に導かれ、ＳＤＲＡＭに画像データが一旦記憶される。その後画像処理部ＩＰによってＳＤＲＡＭ１３２から画像データが読み出される。なお、この画像処理部ＩＰは、プロセッサで構成されており、図３にはバスで接続された形で示されているがデジタル信号処理回路１３３、積算回路１３５、圧縮伸長回路１３９、リサイズ回路ＲＳが同じプロセッサ内に構成されている。
【００６１】
ここで、まず電源が投入されたときに撮影光学系が捉えている被写体を表示装置であるＬＣＤ１１７の液晶パネル１１７Ａ（図２参照）上に表示するためのスルー画データの処理の流れを説明する。
【００６２】
ＣＰＵ１３０は、スルー画をＬＣＤ１１７が備えるＬＣＤパネル１１７Ａ上に表示させるにあたっては、撮像素子駆動部１３０３に指示して所定のタイミングごとに撮像素子１３６を繰り返し駆動させてアナログ信号処理回路１３７に撮像素子内の所定数の画素が間引かれた画像データを次々と出力させ、さらにＡＤＣ１３８でデジタルの画像データに変換させた後のスルー画データを、メモリ制御回路１３１に指示して次々とデータバス１３０Ｃに導かせている。
【００６３】
このメモリ制御回路１３１によってデータバス１３０Ｃ上に導かれたスルー画データは、データバス１３０Ｃを経由して一旦ＳＤＲＡＭ１３２に記憶される。このＳＤＲＡＭ１３２に記憶されたスルー画データが画像処理部ＩＰによって読み出されてまずデジタル信号処理回路１３３に供給される。
【００６４】
このデジタル信号回路１３３ではスルー画データにシェーディング補正等が施された後ＹＣ変換処理が施される。そのＹＣ変換処理が施されることによりスルー画データからＹＣ信号が生成され生成されたＹＣ信号が一旦ＳＤＲＡＭ１３２に供給され記憶される。そのＳＤＲＡＭ１３２に１フレーム分のＹＣ信号が蓄えられたら、今度はＣＰＵ１３０のメモリ転送命令によってＳＤＲＡＭ１３２からＹＣ信号が読み出されて内蔵表示制御回路１３４に供給されＬＣＤ１１７が備えるＬＣＤパネル１１７Ａ上にＹＣ信号に基づくスルー画が表示される。
【００６５】
また、このスルー画の表示にあたっては、積算回路１３５により絶えず合焦位置の検出処理が行なわれたり、測光処理が行なわれたりする。この積算回路１３５での積算結果を受けてＣＰＵ１３０は、レンズ駆動部１３０１に指示してフォーカスレンズ１１１１を合焦位置に移動させたり、絞り駆動部１３０２に指示して絞り径を変更させたりしている。このため、いつでも適正露出に調整されたスルー画データに基づくスルー画がＬＣＤパネル１１７Ａ上に表示されることとなる。本実施形態では、ＣＰＵ１３０とＳＤＲＡＭ１３２とによって本発明にいう表示データ出力部の一例が構成される。
【００６６】
以上がスルー画の表示処理である。
【００６７】
ここで、ＬＣＤパネル１１７Ａ上のスルー画が参照され撮影者によってレリーズボタン１１５が押されると、ＣＰＵ１３０はそのレリーズボタン１１５の押下操作を受けて撮影処理を開始する。
【００６８】
ＣＰＵ１３０は、不図示のメカニカルシャッタを不図示の駆動部に開駆動させるとともに撮像素子駆動部１３０３に指示して電子シャッタを撮像素子１３６に設定させ露光を開始させる。所定のシャッタ秒時後に電子シャッタ、さらにメカニカルシャッタを閉じて画像データを出力させる。撮像素子１３６から出力させた画像データは、アナログ信号処理回路１３７でノイズの低減が行なわれＡＤＣ１３８でデジタルの画像データに変換される。
【００６９】
このＡＤＣ１３８から出力されているデジタルの画像データは、ＣＰＵ１３０の制御の下にメモリ制御回路１３１によってデータバス１３０Ｃ上に導かれデータバス１３０Ｃ上に導かれた画像データが一旦ＳＤＲＡＭ１３２に供給され記憶される。このＳＤＲＡＭ１３２に撮像素子１３６で生成された画像データがすべて供給され記憶された後、今度は画像処理部ＩＰによってＳＤＲＡＭ１３２から画像データが読み出される。読み出された画像データは画像処理部ＩＰ内のデジタル信号処理回路１３３に供給されデジタル信号処理回路１３３ではシェーディング補正が行なわれた後ＹＣ信号への変換処理が施され、さらに圧縮伸張回路１３９に供給され圧縮伸長回路によってＹＣ信号の圧縮が行なわれ、一旦ＳＤＲＡＭ１３２に記憶される。そしてＣＰＵ１３０からのメモリ転送命令によって画像データが外部メディア制御回路１４０に供給されるとともに、圧縮伸長回路１３９からの撮影情報や圧縮に係わる情報、さらにその圧縮に係わる情報が、ＣＰＵ１３０から外部メディア制御回路１４０に供給されて、外部メディア制御回路１４０によって、圧縮されたＹＣ信号に圧縮に係わる情報や撮影情報がヘッダとして書き加えられて画像ファイルが記録媒体１４３に記録される。このときには、第１の解像度のまま、画像データの圧縮処理が行なわれて記録用の画像データのデータ量が削減されてＳＤＲＡＭ１３２に記憶され、ＳＤＲＡＭ１３２からその画像データがデータバス１３０Ｃを経由して外部メディア制御回路１４０に供給されて記録媒体１４３に記録される。つまり、本実施形態においては、本発明にいう記録データ出力部の一例がＣＰＵ１３０とＳＤＲＡＭ１３２と外部メディア制御回路１４０とによって構成される。
【００７０】
こうしておくと、記録時においてもデータ量が軽減されることにより、データ出力部を構成するＣＰＵ１３０とＳＤＲＡＭ１３２と外部メディア制御回路１４０の負荷が軽減されバッテリＢＴの消費電力の低減を図ることが可能になる。
【００７１】
ここまでの処理が、本画像の記録処理である。
【００７２】
ここで、動画像の撮影が行なわれているときには、撮像素子１３６から全画素が読み出されて作業領域であるＳＤＲＡＭ１３２に第１の解像度の画像データが次々に記憶され、デジタル信号処理回路１３３と積算回路１３５と圧縮伸張回路１３９とリサイズ回路ＲＳとを備える画像処理部ＩＰがそのＳＤＲＡＭ１３２内の画像データを読み出して画像処理を行なって内部のフレームメモリ等に一旦記憶しておいて、撮影終了が指示されたときに、圧縮された動画像データをＳＤＲＡＭ１３２に記憶する。その後、ＣＰＵ１３０の制御の下にＳＤＲＡＭ１３２内の動画像データが外部メディア制御回路１４０にメモリ転送されて記録媒体１４３に画像ファイルが記録される。このときには圧縮された画像ファイルが外部メディア制御回路１４０に転送されるのでバス１３０Ｃおよび外部メディア制御回路１４０の負荷が軽減されてバッテリの消費電力の低減が図られる。また連写撮影が行なわれているときにも上記動画像の処理と同様の処理が行なわれる。
【００７３】
ところで特許文献１では、画像データが連続画となる動画撮影又は連写撮影が行なわれているときに表示装置に第１の解像度の画像データが供給される構成であるためにバッテリＢＴの消費電力が増大するという問題が生じていた。
【００７４】
そこで本実施形態では、メモリ制御回路１３１の制御の下にＡＤＣ１３８から入力されてくる画像データが動画データあるいは連写データといった連続画の画像データであるとＣＰＵ１３０が判定していた場合には、ＣＰＵ１３０が画像処理部ＩＰ内のリサイズ回路ＲＳに縮小係数を設定してリサイズ回路ＲＳに第１の解像度から第２の解像度への解像度の変換を行なわせた後の画像データを上記ＳＤＲＡＭ１３２に記憶させて表示についてもメモリ転送のときの画像のデータ量を減らしてＣＰＵ１３０（バス周り）および内蔵表示制御回路１３４の負荷を低減することができるようにしている。
【００７５】
この構成にすると動画撮影や連写撮影時にバス１３０Ｃを経由して外部メディア制御回路１４０に供給される画像データの量とともに、バス１３０Ｃを経由して内蔵表示制御回路１３４に供給される画像データの量が削減されてＣＰＵ１３０及び内蔵表示制御回路１３４の負荷が軽減されてバッテリＢＴの消費電力の低減を図ることが可能となる。
【００７６】
ここで、本実施形態のデジタルカメラ１００が備えるＣＰＵ１３０およびデジタル信号処理回路１３３と積算回路１３５と圧縮伸張回路１３９とリサイズ回路ＲＳとからなる画像処理部ＩＰが行なう撮影処理を説明する。
【００７７】
図４は、ＣＰＵ１３０と画像処理部ＩＰが、行なう撮影処理の手順を示す図である。
【００７８】
ステップＳ４０１でＣＰＵ１３０が、ＳＤＲＡＭ１３２内のスルー画データを、バス１３０Ｃを経由して内蔵表示制御回路１３４に供給して表示装置のＬＣＤパネル１１７Ａ（図２参照）上にスルー画を表示させる。このときには、撮像素子１３６から間引いて画像を読み出して第１の解像度よりも低い第２の解像度で内蔵表示制御部回路１３４に画像データを供給して内蔵表示制御回路１３４にその画像データに基づく画像の表示をＬＣＤパネル上に行なわせる。ステップＳ４０２でスルー画が表示されているときにレリーズボタンが押されたことを受けてＣＰＵ１３０はステップＳ４０３で連続画となる動画撮影や連写撮影であるか、静止画撮影であるかの判定をまず行なう。このステップＳ４０３でＣＰＵ１３０が連続画であると判定したときには連続画の方へ進んでステップＳ４０４でバッテリの負荷を低減するために画像処理部ＩＰ内のリサイズ回路ＲＳに縮小係数を設定する。次のステップへ進んでステップＳ４０５でＣＰＵ１３０は画像処理部ＩＰ内の積算回路１３５からの露出値や合焦値を受け取って露出調整やピント調整を行なった後、次のステップＳ４０６で撮影指示時の第１の解像度の画像データを、撮像素子から出力させてメモリ制御回路の制御の下にＳＤＲＡＭ１３２に一旦記憶する。次のステップＳ４０７で画像処理部ＩＰがＳＤＲＡＭ１３２内の画像データを読み出し、ＹＣ処理などの画像処理を行なって記録データ作成用のために内部のフレームメモリに蓄えるとともに、リサイズ回路ＲＳで第１の解像度から第２の解像度への変換を行なって第２の解像度の画像データを再度ＳＤＲＡＭ１３２に記憶する。
【００７９】
次のステップＳ４０８で、ＣＰＵ１３０は、ＳＤＲＡＭ１３２に記憶されている第２の解像度の画像データを、バス１３０Ｃを経由して内蔵表示制御回路１３４に出力（メモリ転送）して内蔵表示制御回路１３４にＬＣＤ１１７を制御させることにより第２の画像データに基づく動画像又は連写画像をＬＣＤパネル上に表示させる。
【００８０】
次のステップＳ４０９で、撮影終了の指示が行なわれたら、ステップＳ４１０で画像処理部内のフレームメモリにある動画データ又は連写データを画像処理部ＩＰ内の圧縮伸長回路１３９で圧縮し圧縮した画像データをＳＤＲＡＭ１３２に記憶する。次のステップＳ４１１でＣＰＵ１３０は、そのＳＤＲＡＭ１３２内の画像データを外部メディア制御回路１４０に出力（メモリ転送）して外部メディア制御回路に画像ファイルの記録媒体１４３への記録を行なわせる。ステップＳ４１２で再生モードに切り替えられたり電源スイッチがオフされたりせずに撮影が続けて行なわれると判定したらステップＳ４０１に戻ってステップＳ４０１からの処理を繰り返し、電源スイッチなどがオフされたと判定したらこのフローの処理を終了する。
【００８１】
またステップＳ４０３で静止画撮影であると判定した場合には静止画の方へ進んで、ステップＳ４１３でステップ４０５と同様に露出・ピント調整を行なって、ステップＳ４１４で撮像素子に結像させた被写体を表わす全画素の画像データを生成、出力させ、出力させた画像データをメモリ制御回路１３１に指示してバス１３０Ｃに導かせてＳＤＲＡＭ１３２に一旦記憶させる。次のステップＳ４１５で内蔵表示制御回路に出力（メモリ転送）して第１の画像データに基づく画像をＬＣＤパネル上に表示させる。次のステップＳ４１６で画像処理部ＩＰはＣＰＵ１３０からのプロセススタート信号を受けてＳＤＲＡＭ１３２内の画像データを読み出して圧縮伸長回路による圧縮処理までの画像処理を行なってステップＳ４１７で再びＳＤＲＡＭ１３２に圧縮画像データを記憶する。次のステップＳ４１８でＣＰＵ１３０は、ＳＤＲＡＭ１３２に圧縮データが記憶されたことを受けて外部メディア制御回路１４０にその圧縮データを出力（メモリ転送）すると共に圧縮情報を供給して外部メディア制御回路に、画像データを有する画像ファイルの記録媒体への記録を行なわせる。ステップＳ４１２へ進んで再生モードに切り替えられたり電源スイッチがオフされたりせずに撮影が続けて行なわれると判定したらステップＳ４０１に戻ってステップＳ４０１からの処理を繰り返し、電源スイッチなどがオフされたと判定したらこのフローの処理を終了する。
【００８２】
上記構成にすると、動画撮影又は連写撮影が行なわれているときには、リサイズ回路ＲＳで第１の解像度から第２の解像度に変換されてデータ量が削減された画像データがバスを経由して内蔵表示制御回路１３４に供給されるようになるので、従来に比べてバス１３２を駆動する部分や内蔵表示制御回路１３４のデータ受け部の負荷が低減されてバッテリの消費電力が低減される。
【００８３】
上記実施形態では、静止画であるか、連続画であるかを判定して連続画である動画像又は連写画像の場合に表示用の画像データの解像度を第１の解像度よりも低い第２の解像度に変換したが、動画又は連写撮影時の表示用の画像データも第１の解像度のままにして鮮明な画像をＬＣＤパネル上に表示し、バッテリの残量が所定未満になったときに第１の解像度をその第１の解像度よりも低い第２の解像度に変換して内蔵表示制御回路に供給する構成にしてバスを駆動する部分や内蔵表示制御回路の負荷を減らしてバッテリの長寿命化を図っても良い。
【００８４】
図５は、バッテリの残量が所定の残量未満になったときに表示画像の解像度を低減してバッテリの長寿命化を図る構成にした場合の例を説明する図である。
【００８５】
バッテリ残量検出回路ＤＥＴを備えた電源回路ＰＳが追加された以外は図３と同じ構成である。
【００８６】
この図５の電源回路ＰＳにバッテリＢＴからの電力が供給され電源回路ＰＳから各部に電力が供給される。ＣＰＵ１３０は、バッテリＢＴの残量が所定未満になったことを電源回路ＰＳ内のバッテリ残量検出回路ＤＥＴの検出結果に基づいて判定し所定量未満になったと判定したきにリサイズ回路ＲＳに低解像度にするための縮小係数を設定する。
【００８７】
図６は、ＣＰＵ１３０が実行する処理の手順を説明するフローチャートである。
【００８８】
ステップＳ４０４の処理が判定ステップＳ４０４Ａに変更されステップＳ４２０からステップＳ４２３までの処理が追加されている以外は、図５の処理と同じである。
【００８９】
ステップＳ４０４Ａでバッテリの残量が所定量未満であると判定したときにはステップＳ４０５からステップＳ４１１までの一連の処理を行なって第２の解像度の画像データに基づく画像をＬＣＤパネル上に表示し、所定量以上であると判定したときには、ステップＳ４２０からステップＳ４２３の処理でリサイズせずにそのまま第１の解像度の画像データに基づく画像をＬＣＤパネル上に表示する。
【００９０】
この構成にすると、バッテリ容量が充分なときには第１の解像度の画像データに基づく画像が表示され、バッテリが消耗しているときにはそのときのバッテリをなるべく長く持たせるために解像度が第１の解像度よりも低い第２の解像度に変換され第２の解像度に基づく画像がＬＣＤパネル上に表示される。このような構成にしてもバッテリの消費電力の低減が図られる。
【００９１】
またデジタルカメラにはＡＣアダプタが備えられているものが多い。このＡＣアダプタが接続されている場合には、バッテリの電力が用いられる訳ではないのでわざわざ第１の解像度よりも低い第２の解像度に変換する必要がない。
【００９２】
図７は、図１のデジタルカメラにＡＣアダプタが接続されているか否かを判定するためのアダプタ検出回路ＡＣＤが配備されている場合の内部構成を示す図である。
【００９３】
図８は、そのＡＣアダプタが接続されているときとＡＣアダプタが接続されていないときの撮影処理をそれぞれ説明するフローチャートである。
【００９４】
図６のステップＳ４０４Ａの処理内容がステップＳ４０４Ｂに変更されＡＣアダプタが接続されているか否かに変更された以外は、図６の処理と同じである。
【００９５】
ＣＰＵがＡＣアダプタ検出回路ＡＤＣの検出結果に基づいてＡＣアダプタが接続されていないと判定したときには、ステップＳ４０４ＢでＮｏ側へ進んで、図４の処理と同様にステップＳ４０５からステップＳ４１１までの処理を行なってバッテリの消費電力の低減を図り、ステップＳ４０４ＢでＡＣアダプタ検出回路ＡＤＣの検出結果に基づいてＡＣアダプタが接続されていると判定したときには、Ｙｅｓ側へ進んで、ＡＣ電力が供給されていて電力が充分にあるので第１の解像度の画像データに基づく画像をＬＣＤパネル上に表示する。こうしても良い。
【００９６】
ここで、上記実施形態においては、バッテリの残量検出手段ＤＥＴを設けてバッテリの消耗状態を検出する例を示したが、バッテリの負荷状態は温度の上昇を検出してもある程度は分かる。
【００９７】
図９は、図１、図２のデジタルカメラに温度計を配備した場合の内部構成を示す図である。
【００９８】
また図１０は、バッテリの負荷を検出するために上記温度計ＴＨを配備した場合の撮影処理を説明するフローチャートである。
【００９９】
図６のステップＳ４０４Ａの処理がステップＳ４０４Ｃに変更されている以外は図６と同じ処理である。こうしても良い。
【０１００】
図１１は、外付け表示装置２００を図１のデジタルカメラに接続してその外付け表示装置２００に再生画像を表示する場合の表示構成を説明する図であり、図１２は、図１１のデジタルカメラの内部構成を示す図である。さらに図１３は、図１２のＣＰＵ１３０と画像処理部ＩＰが行なう画像処理の処理手順を示すフローチャートである。この外付け表示装置２００は低解像度から高解像度までの所定の範囲の解像度の画像表示を行なうことができるものである。
【０１０１】
図１のデジタルカメラに図１１に示す外付け表示装置２００が接続されたときには、外付け表示装置２００の表示画面上に再生画像を表示させるにあたってデジタルカメラのＣＰＵが、外付け表示装置２００が受信可能な解像度を認識するために外付け表示制御回路１９１を通して外付け表示装置２００に問い合わせを行なってＣＰＵ１３０が、外付け表示装置２００が受信可能な解像度を認識し認識した解像度にあうように画像処理部ＩＰ内のリサイズ回路ＲＳで解像度の変換を行なってから外付け表示制御回路１９１を通して外付け表示装置２００に画像データを供給する構成にしてある。
【０１０２】
図１３は、図１１、図１２の構成のときにデジタルカメラが備えるＣＰＵ１３０および画像処理部ＩＰが行なう処理を説明する図である。
【０１０３】
ＣＰＵ１３０は、ステップＳ１３０１で記録媒体内の再生画像のいずれかを読み出す。ステップＳ１３０２でその再生画像の解像度を確認してステップＳ１３０３で外付け表示装置２００に受信可能な解像度を問い合わせる。次のステップＳ１３０４で再生画像の解像度が受信が可能な解像度であるかどうかを判定して、ステップＳ１３０４で再生サイズが受信可能サイズよりも小さいと判定したときには再生サイズ＜受信可能サイズ側へ進んでステップＳ１３０５で再生サイズをリサイズ回路ＲＳで受信が可能な解像度にリサイズしてリサイズした画像データを外付け表示制御回路１９１を通して外付け表示装置２００に送信してこのフローの処理を終了する。
【０１０４】
ステップＳ１３０４で、再生画像の解像度が、受信が可能な解像度であると判定した場合には、ステップＳ１３０６へ進んでステップＳ１３０６で外付け表示制御回路１９１を通してそのまま画像データを送信し、再生サイズが、受信が可能な解像度よりも大きいと判定したときには再生サイズ＞受信可能サイズ側へ進んでステップＳ１３０７で再生画像の解像度をリサイズ回路ＲＳで受信が可能な解像度にリサイズしリサイズした画像データを外付け表示制御回路１９１を通して外付け表示装置２００に送信してこのフローの処理を終了する。
【０１０５】
ＣＰＵ１３０と画像処理部ＩＰが図１３のフローの処理を実行すると、リサイズ回路ＲＳに指示して解像度の変換を行なわせて第１の解像度よりも低い第２の解像度の画像データを外付け表示制御回路１９１を通して外付け表示装置２００に供給することができるので、デジタルカメラ内のＣＰＵ１３０（バス周り）と外付け表示制御回路１９１の負荷を低減することによりデジタルカメラ内のバッテリの消費電力を低減することが可能となる。
【０１０６】
図１４は、電子ズームしたときのＬＣＤパネル上の状態を説明する図であり、図１５は、図１、図２、図３に示すデジタルカメラが備えるＣＰＵ１３０が電子ズーム処理をするときの処理手順を示すフローチャートである。
【０１０７】
図１４に示す様にスルー画は、撮像素子から出力される画素数が間引かれているが、通常においては被写体がある程度小さく表示されるためにある程度はきれいに見える。しかし電子ズームされたときには解像度が低いので見難い拡大画像がＬＣＤパネル上に表示されてしまう。
【０１０８】
そこで、画像の一部領域の画像が切り出されて電子ズームされたときには、画像データ量が減ることを考慮して、切り出された領域の画像データの解像度をリサイズ回路ＲＳで高解像度にしてからＳＤＲＡＭ１３２に記憶して、内蔵表示制御回路１３４に出力（メモリ転送）するようにしている。図１４には、右上にはいままで電子ズームされたときに低解像度（ＳＤ）で表示されていたのを、右下に示す様に高解像度（ＨＤ）で表示するように変更したことが示されている。
【０１０９】
図１５は、ＣＰＵ１３０が行なう電子ズーム時の処理を説明するフローチャートである。
【０１１０】
ステップＳ１５０１で、ＣＰＵ１３０が、低解像、つまり第２の解像度（ＳＤ）の画像データに基づく画像の表示を行なうか、又は高解像、つまり第１の解像度（ＨＤ）の画像データに基づく画像の表示を行なうかを選択する。例えばスルー画を表示する場合には、ＳＤ側へ進んでステップＳ１５０２で第２の解像度の画像データに基づく低解像度（ＳＤ）での画像の表示を表示装置に行なわせる。次のステップＳ１５０３で、ユーザ操作によって電子ズームが行なわれてスルー画中の一部領域の画像の切出し指示が行なわれたかどうかを判定する。ステップＳ１５０３で電子ズームが行なわれたと判定したときにはＹｅｓ側へ進んで、画像処理部が、ＳＤＲＡＭ１３２から一部領域の画像データを読み出しリサイズ回路でその一部領域の画像データの解像度を第２の解像度よりも高い解像度である第１の解像度に変換してＳＤＲＡＭ１３２に記憶して内蔵表示制御回路１３４に出力（メモリ転送）して第１の解像度に基づく高解像度（ＨＤ）での画像の表示を行なわせる。ステップＳ１５０５で元に戻す処理が行なわれたかどうかを判定して元に戻す処理が行なわれたと判定したらステップＳ１５０６へ進んで第２の解像度に基づく低解像度（ＳＤ）での画像の表示を表示装置に行なわせてこのフローの処理を終了する。
【０１１１】
ステップＳ１５０１で静止画撮影の撮影画像を表示する場合には、ＨＤ側へ進んでステップＳ１５０７で第１の解像度の画像データに基づく高解像度（ＨＤ）での画像の表示を表示装置に行なわせる。次のステップＳ１５０８でユーザ操作により高速連写（または動画）撮影が開始されたと判定したときには、Ｙｅｓ側へ進んで第１の解像度よりも低い第２の解像度の画像データを内蔵表示制御回路１３４に供給して表示装置であるＬＣＤ１１７に低解像度での表示を行なわせ、ステップＳ１５１０で高速連写（又は動画）を止めたと判定したときにはＹｅｓ側へ進んで第１の解像度を内蔵表示制御回路１３４に供給してＬＣＤの表示形態を高解像度での表示に戻してこのフローの処理を終了する。ステップＳ１５１０で高速連写（又は動画撮影）が継続されていると判定したときにはステップＳ１５０９に戻ってステップＳ１５０９の処理を繰り返す。
【０１１２】
また、ステップＳ１５０８で高速連写（又は動画撮影）が行なわれていないと判定したときには、ステップＳ１５０９、Ｓ１５１０をスキップしてステップＳ１５１１で高解像度の表示のままとしてこのフローの処理を終了する。
【０１１３】
電子ズーム機能がある場合には、上記処理を行なうと、電子ズームされた拡大画像がきれいに表示される。また、一部領域が電子ズームされるので、画像データの量が少なくて済む分、第１の解像度にしても処理量が減り、消費電量の低減を図ることができる。
【図面の簡単な説明】
【０１１４】
【図１】本発明の撮影装置の第１実施形態であるデジタルカメラを斜め上前方から見た外観斜視図である。
【図２】図１に示すデジタルカメラの背面を示す外観図である。
【図３】図１、図２に示したデジタルカメラ１００の回路構成を示すブロック図である。
【図４】ＣＰＵ１３０と画像処理部が、行なう撮影処理の手順を示す図である。
【図５】バッテリの残量が所定の残量未満になったときに表示画像の解像度を低減してバッテリの長寿命化を図る構成にした場合の例を説明する図である。
【図６】ＣＰＵ１３０が実行する処理の手順を説明するフローチャートである。
【図７】図１のデジタルカメラにＡＣアダプタが接続されているか否かを判定するためのアダプタ検出回路ＡＣＤが配備されている場合の内部構成を示す図である。
【図８】ＡＣアダプタが接続されているときとＡＣアダプタが接続されていないときの撮影処理をそれぞれ説明するフローチャートである。
【図９】図１、図２のデジタルカメラに温度計を配備した場合の内部構成を示す図である。
【図１０】バッテリの負荷を検出するために上記温度計ＴＨを配備した場合の撮影処理を説明するフローチャートである。
【図１１】外付け表示装置２００を図１のデジタルカメラに接続してその表示装置２００に再生画像を表示する場合の表示構成を説明する図である。
【図１２】図１１のデジタルカメラの内部構成を示す図である。
【図１３】図１２のＣＰＵ１３０と画像処理部ＩＰが行なう画像処理の処理手順を示すフローチャートである。
【図１４】電子ズームしたときのＬＣＤパネル上の状態を説明する図である。
【図１５】図１、図２、図３に示すデジタルカメラが備えるＣＰＵ１３０が電子ズーム処理をするときの処理手順を示すフローチャートである。
【符号の説明】
【０１１５】
１００    デジタルカメラ
１１１０    撮影光学系
１１１１  撮影レンズ
１１１２    絞り
１１１    ズーム鏡胴
１１２    フラッシュ発光窓
１１３    ＡＦ補助光ランプ
１１４    電源スイッチ
１１５    レリーズボタン
１１６    モードダイヤル
１１７    ＬＣＤ
１１７Ａ    ＬＣＤパネル
１１８    ＭＥＮＵ／ＯＫボタン
１１９    ＤＩＳＰ／ＢＡＣＫボタン
１２０    フォトモードボタン
１２１    再生ボタン
１２２    十字ボタン
１２３    ズームボタン
１２４    ファインダ
１３０    ＣＰＵ
１３０Ａ    ＥＥＰＲＯＭ
１３０Ｂ    アドレスバス
１３０Ｃ    データバス
１３０１    レンズ駆動部
１３０２    絞り駆動部
１３０３    撮像素子駆動部
１３１    メモリ制御回路
１３２    ＳＤＲＡＭ
１３３    デジタル信号処理回路
１３４    内蔵表示制御回路
１３５    積算回路
１３６    撮像素子
１３７    アナログ信号処理回路
１３８    ＡＤＣ
１３９    圧縮伸張回路
１４０    外部メディア制御回路
１４３    記録媒体
１９１    外付け表示回路
２００    外付け表示装置
ＩＰ    画像処理部
ＲＳ      リサイズ回路
ＰＳ      電源回路
ＤＥＴ    バッテリ残量検出回路
ＡＣＤ  ＡＣアダプタ検出回路
ＴＨ    温度計
【図１】
2009089036.tif 000003
【図２】
2009089036.tif 000004
【図３】
2009089036.tif 000005
【図４】
2009089036.tif 000006
【図５】
2009089036.tif 000007
【図６】
2009089036.tif 000008
【図７】
2009089036.tif 000009
【図８】
2009089036.tif 000010
【図９】
2009089036.tif 000011
【図１０】
2009089036.tif 000012
【図１１】
2009089036.tif 000013
【図１２】
2009089036.tif 000014
【図１３】
2009089036.tif 000015
【図１４】
2009089036.tif 000016
【図１５】
2009089036.tif 000017